(57)【要約】      （修正有）【課題】光ファイバ内で直接円環状のビーム形状を有する回転光ビームを発生することのできる回転光ビーム発生器を提供する。【解決手段】光ファイバ装置１００は、主区分と副区分を含む単一コアを備え、副区分の少なくとも一部分が単一コアの中心からオフセットされ、単一コアが光ファイバ装置の光軸を中心に光ファイバ装置の長さに沿ってねじれ、主区分の屈折率が副区分の屈折率より大きく、単一コアがクラッドで取り囲まれている。【選択図】図１
2018084813.tif 000002
【特許請求の範囲】
【請求項１】
主区分と副区分を含む単一コアを備えること、
前記副区分の少なくとも一部分が前記単一コアの中心からオフセットされ、前記単一コアが光ファイバ装置の光軸を中心に前記光ファイバ装置の長さに沿ってねじれ、且つ前記主区分の屈折率が前記副区分の屈折率より大きいこと、及び
前記単一コアを取り囲むクラッドを備えること、
を特徴とする光ファイバ装置。
【請求項２】
前記主区分は第１の屈折率を有し、前記クラッドは第２の屈折率を有し、且つ前記副区分は第３の屈折率を有すること、
前記第１の屈折率が前記第２の屈折率及び前記第３の屈折率より大きく、且つ前記第３の屈折率が前記第２の屈折率より大きいかそれに等しいこと、
を特徴とする請求項１記載の光ファイバ装置。
【請求項３】
前記副区分は、前記副区分が前記主区分を少なくとも２つの区分に分離するように前記主区分内に配置されていること、を特徴とする請求項１記載の光ファイバ装置。
【請求項４】
前記少なくとも２つの区分は４つの区分を含むこと、を特徴とする請求項３記載の光ファイバ装置。
【請求項５】
前記少なくとも２つの区分はほぼ等しい断面積を有すること、を特徴とする請求項３記載の光ファイバ装置。
【請求項６】
前記副区分は前記単一区分内に、前記副区分が前記主区分内で部分分割器を形成するように配置されていること、を特徴とする請求項１記載の光ファイバ装置。
【請求項７】
前記副区分の断面は前記光ファイバ装置の光軸に対して対称であること、を特徴とする請求項１記載の光ファイバ装置。
【請求項８】
前記副区分は少なくとも３つの部分を備え、
前記少なくとも３つの部分が前記光ファイバ装置の断面内で前記光ファイバ装置の光軸に直角の方向に延在していること、
を特徴とする請求項１記載の光ファイバ装置。
【請求項９】
前記単一コアが前記光軸を中心にねじれるねじれ率は前記光ファイバ装置の第１の端における第１のねじれ率から前記光ファイバ装置の第２の端における第２のねじれ率まで増加していること、を特徴とする請求項１記載の光ファイバ装置。
【請求項１０】
前記光ファイバ装置の第１の端における前記第１のねじれ率は１回転／５０ミリメートルより小さいかそれに等しいこと、を特徴とする請求項９記載の光ファイバ装置。
【請求項１１】
前記光ファイバ装置は、前記光ファイバ装置の第１の端における前記光ファイバ装置のサイズが前記光ファイバ装置の第２の端における前記光ファイバ装置のサイズより小さくなるようにテーパー状であること、を特徴とする請求項９記載の光ファイバ装置。
【請求項１２】
前記光軸を中心にねじられた前記単一コアは前記光ファイバ装置の第１の端において入射された光ビームを前記光ファイバ装置の第２の端において回転光ビームに少なくとも部分的に変換せしめること、を特徴とする請求項１記載の光ファイバ装置。
【請求項１３】
前記回転光ビームは少なくとも１つの回転導波モード又は少なくとも１つの回転漏洩波で伝搬する光を含んでいること、を特徴とする請求項１２記載の光ファイバ装置。
【請求項１４】
前記少なくとも１つの回転導波モードの１つの回転導波モード又は前記少なくとも１つの回転漏洩波の１つの回転漏洩波と関連する回転量子数は４より大きいかそれに等しいこと、を特徴とする請求項１３記載の光ファイバ装置。
【請求項１５】
前記回転光ビームは前記光ファイバ装置の前記第２の端において円環状であること、を特徴とする請求項１２記載の光ファイバ装置。
【請求項１６】
前記光軸を中心にねじられた前記単一コアは第１の回転状態を有する入力光ビームを第２の回転状態を有する出力光ビームに変換せしめ、前記第１の回転状態は前記第２の回転状態と異なること、を特徴とする請求項１記載の光ファイバ装置。
【請求項１７】
前記入力光ビーム及び前記出力光ビームは円偏光ビームであること、を特徴とする請求項１６記載の光ファイバ装置。
【請求項１８】
前記入力光ビームはマルチモード光ビームであり、且つ前記出力光ビームは多数の回転導波モード又は回転漏洩波を含んでいること、を特徴とする請求項１６記載の光ファイバ装置。
【請求項１９】
前記入力光ビームは単一モード光ビームであり、且つ前記出力光ビームは多数の回転出力モード又は回転漏洩波を含んでいること、を特徴とする請求項１６記載の光ファイバ装置。
【請求項２０】
前記入力光ビームは単一モード光ビームであり、且つ前記入力光ビームと関連する入力パワーの少なくとも５０％が前記出力光ビームにおいて単一回転導波モード又は単一回転漏洩波に変換されていること、を特徴とする請求項１６記載の光ファイバ装置。
【請求項２１】
主区分を含む単一コアを備えること、
前記単一コアの前記主区分は非円形状であり、前記単一コアは前記光ファイバ装置の光軸を中心に前記光ファイバ装置の長さに沿ってねじれていること、及び
前記単一コアを取り囲むクラッドを備えること、
を特徴とする光ファイバ装置。
【請求項２２】
前記非円形状の周縁は少なくとも部分的にくぼんでいること、を特徴とする請求項２１記載の光ファイバ装置。
【請求項２３】
回転ファイバによって、前記回転ファイバの第１の端で光ビームを受信するステップを備え、
このステップにおいて前記回転ファイバは前記回転ファイバの光軸を中心に前記回転ファイバの長さに沿ってねじれた単一コアを含んでいること、
前記回転ファイバによって、前記光ビームを回転光ビームに少なくとも部分的に変換するステップを備え、
このステップにおいて、前記光ビームは前記単一コアが前記光軸を中心にねじれている結果として前記回転光ビームに少なくとも部分的に変換されること、及び
前記回転ファイバによって、前記回転光ビームを出力するステップをそなえること、
を特徴とする方法。
【発明の詳細な説明】
【技術分野】
【０００１】
本開示は、円環状のビーム形状を有する光ビームを発生する光ファイバ装置に関し、より詳しくは、光ファイバ内で直接（即ち、フリースペース光学系を使用することなく）円環状のビーム形状を有する回転光ビームを発生する光ファイバ装置に関する。
【背景技術】
【０００２】
光ビームのビームプロファイルは、光ビームを用いて行われる材料加工と関連する加工性能に重大な影響を及ぼす。例えば、円環状のビームプロファイルを有する光ビームは優れた金属切断を可能にする。しかしながら、殆どのファイバ送出光ビームのビームプロファイルは相対的に過度に単純化されている。例えば、ビームプロファイルは、強く集束された光ビームを用いて薄い板金（例えば、約３ｍｍ以下の厚さを有する板金）を加工するために使用し得る低ビームパラメータ積（ＢＰＰ）レーザ（例えば、３ミリメートル・ミリラジアン（ｍｍ／ｍｒａｄ））のために、ガウス又は近ガウスプロファイルとしている。別の例として、ビームプロファイルは、大きなビームを用いて厚い板金（例えば、約３ｍｍより大きい厚さを有する板金）を加工するために使用し得る高いＢＰＰ（例えば、約３ｍｍ・ｍｒａｄのＢＰＰ）レーザのために、トップハット（フラットトップと呼ばれることもある）プロファイルを使用している。
【発明の概要】
【０００３】
幾つかの可能な実施形態による光ファイバ装置は、主区分と副区分を含む単一コアを備えること、前記副区分の少なくとも一部分が前記単一コアの中心からオフセットされ、前記単一コアが前記光ファイバ装置の光軸を中心に前記光ファイバ装置の長さに沿ってねじれ、且つ前記主区分の屈折率が前記副区分の屈折率より大きいこと、及び前記単一コアを取り囲むクラッドを備えること、を特徴とする。
【０００４】
幾つかの可能な実施形態による光ファイバ装置は、主区分を含む単一コアを備えること、前記単一コアの前記主区分は非円形状であり、前記単一コアは前記光ファイバ装置の光軸を中心に前記光ファイバ装置の長さに沿ってねじれていること、及び前記単一コアを取り囲むクラッドを備えること、を特徴とする
【０００５】
いくつかの可能な実施形態による方法は、前記回転ファイバの第１の端で光ビームを受信するステップを備え、このステップにおいて前記回転ファイバは前記回転ファイバの光軸を中心に前記回転ファイバの長さに沿ってねじれた単一コアを含んでいること、前記回転ファイバによって、前記光ビームを回転光ビームに少なくとも部分的に変換するステップを備え、このステップにおいて、前記光ビームは前記単一コアが前記光軸を中心にねじれている結果として前記回転光ビームに少なくとも部分的に変換されること、及び前記回転ファイバによって、前記回転光ビームを出力するステップを備えること、を特徴とする。
【０００６】
幾つかの可能な実施形態による方法は、回転ファイバ母材の中心に対して角度変化する屈折率構造を有する単一コアを有する回転ファイバ母材を製造するステップと、コンソリデートされた回転ファイバ母材を生成するために前記回転ファイバ母材をコンソリデートするステップと、スパン回転ファイバを生成するために前記コンソリデートされた回転ファイバ母材を線引きと同時にスピンさせるステップと、テーパー状スパン回転ファイバを形成するために前記スパン回転ファイバをテーパー化するステップを含み、そのテーパー状スパン回転ファイバ内で、前記単一コアは前記テーパー状スパン回転ファイバの光軸を中心に回転していること、を特徴とする。
【０００７】
幾つかの可能な実施形態による方法は、回転ファイバ母材の中心に対して角度変化する屈折率構造を有する単一コアを有する回転ファイバ母材を製造するステップと、コンソリデートされた回転ファイバ母材を生成するために前記回転ファイバ母材をコンソリデートするステップと、スパン回転ファイバを生成するために前記コンソリデートされた回転ファイバ母材を線引きするステップと、ねじれた回転ファイバを形成するために前記引き出した回転ファイバをねじるステップを含み、そのねじれた回転ファイバ内で、前記単一コアは前記ねじれた回転ファイバの光軸を中心に回転していること、を特徴とする。
【図面の簡単な説明】
【０００８】
【図１】図１Ａ及び１Ｂは本明細書に記載する回転光ビーム発生用回転ファイバの一例と関連する概略図である。
【図２】回転光ビーム発生用回転ファイバの使用環境の一例を示す図である。
【図３】放物線状グレーデッドインデックスファイバのカットオフ以下における様々な低次導波モードＬＰlmの横方向ニアフィールド強度パターンの一例を示す図である。
【図４Ａ】回転光ビーム発生用回転ファイバの一例の横断面図である。
【図４Ｂ】回転光ビーム発生用回転ファイバの一例の横断面図である。
【図５】本明細書に記載するテーパー形回転ファイバの一例を示す図である。
【図６】本明細書に記載する回転ファイバを製造するスパンファイバ技術のプロセスの一例のフローチャートである。
【図７】本明細書に記載する回転ファイバを製造するねじれファイバ技術のプロセスの一例のフローチャートである。
【図８】図８Ａ−８Ｃは本明細書に記載する回転ファイバの様々なテーパー長を用いたシミュレーションと関連する図である。
【発明を実施するための形態】
【０００９】
以下の例示的な実施形態の詳細な説明は添付図面を参照するものである。異なる図面において、同じ参照番号は同一もしくは類似の要素を示している。以下に記載する実施形態は単なる例示であって、これらの実施形態を開示の正確な形態に限定することを意図するものではない。それよりむしろ、これらの実施形態は、当業者がこれらの実施形態を実施できるように説明のために選ばれたものである。
【００１０】
上述したように、従来のファイバ送出光ビームは相対的に過度に単純化されている（例えば、ガウス又は近ガウスプロファイル、トップハットプロファイル及び／又は同類のもの）。比較的進歩したビーム形状、例えば円環状ビーム形状（即ち、リング状ビーム）を有する光ビームを発生するには、一般的に、高価な専用のアライメントセンシティブなフリースペース光学系、例えばアキシコン（ａｘｉｃｏｎ）、スパイラル位相板など、を使用する。更に、このような光学系は一般的に、光ビームを送出するファイバの遠位端の加工ヘッド内に設置する必要がある。加工ヘッドは、加速度及び汚染（例えば煙、金属デブリ、塵埃などから）を受けるオプトメカニカルアセンブリであるため、高価で、アライメントセンシティブで、かさばり、且つ又重い光学素子にとって望ましくない場所である。
【００１１】
更に、円環状のビーム形状を有する光ビームを発生する従来の技術は一般的に低いビーム品質の光ビームをもたらす。例えば、従来の技術は、過度に高いＢＰＰ、円環の中心部の過大なパワー、拡散ビームエッジ（例えば、低い加工品質を生じる比較的長いラジアルテールを有する）などを有する光ビームを発生し得る。
【００１２】
本明細書に記載する幾つかの実施形態は、光ファイバ内で直接（即ち、フリースペース光学系なしで）円環状のビーム形状を有する光ビームを発生する光ファイバ装置を提供する。もっと具体的に言うと、発生される光ビームは回転光ビーム（即ち、光ファイバ内をらせん状に伝搬する光ビーム）であり、それによって円環状のビーム形状を有する光ビームを生成する。幾つかの実施形態において、光ビームの回転特性は（例えば、光ビームが光ファイバから出るとき）維持され得るため、例えば光ファイバから加工片上に投射されるレーザスポットはシャープなエッジ及び高いビーム品質を有する円環状ビームプロファイルを示す。このように、円環状のビーム形状を有する光ビームが光ファイバ内で直接発生され、それによって材料加工の向上を促進することができる。
【００１３】
図１Ａ及び１Ｂは、本明細書に記載する、回転光ビームを発生する回転ファイバの一例１００と関連する概略図である。
【００１４】
回転光ビームを発生する光ファイバ装置（本明細書では回転ファイバと呼ぶ）は、主区分と副区分を備える単一コアを含み、副区分の少なくとも一部分は単一コアの中心からオフセットされている。このような回転ファイバの例示的な断面が図１Ａに示されている。図１Ａに示される例では、副区分は、副区分（例えば、「十」形の断面を有する区分）が主区分を４つの区分に分離するように配置されている。更に示されるように、回転ファイバは更に単一コアを取り囲むクラッド部分を含む。
【００１５】
図１Ｂに示されるように、単一コア（即ち、主区分及び副区分）は回転ファイバの光軸（例えば、単一コアの中心）を中心に回転ファイバの長さに沿ってねじることができる。幾つかの実施形態において、光軸を中心にねじられた単一コアによって、以下で更に詳しく説明されるように、回転ファイバの入力端に入射される入力光ビーム（例えば、非回転光ビーム）が回転ファイバの出力端における回転光ビームに少なくとも部分的に変換せしめられる。
【００１６】
図１Ｂに更に示されるように、幾つかの実施形態において、回転ファイバは入力ファイバと出力ファイバとの間に配置してよい。幾つかの実施形態において、入力ファイバ、回転ファイバ及び出力ファイバは（例えば、従来の溶着接続技術を用いて）スプライス接続してよい。
【００１７】
動作状態において、回転ファイバは入力ファイバから入力光ビームを受光する。図に示されるように、入力光ビームは一以上の非回転導波モードで伝搬する光を含んでよい。光が回転ファイバ中を伝搬するため、及び単一コアが回転ファイバの長さに沿ってねじれているために、回転ファイバは入力光ビームから回転光ビームを生成する。換言すれば、回転ファイバは、（一以上の非回転導波モードを少なくとも１つの回転導波モード及び／又は少なくとも１つの回転漏洩波に少なくとも部分的に変換することによって）入力光ビームを回転光ビームに少なくとも部分的に変換することができる。従って、図１Ｂに示されるように、回転光ビームは少なくとも１つの回転導波モード及び／又は少なくとも１つの回転漏洩波で伝搬する光を含み得る。
【００１８】
幾つかの実施形態では、少なくとも１つの回転導波モード及び／又は少なくとも１つの回転漏洩波で伝搬する光のために、回転光ビームは円環状のビーム形状を有する。回転光ビームは（例えば、金属切断などの材料加工用の）出力ファイバを介して発射することができる。このとき、出力ビームの回転特性は維持されるため、出力ファイバから投射されるレーザスポットはシャープなエッジ及び高いビーム品質を有する円環状ビームプロファイルを示す。このように、光ファイバ装置は円環状のビーム形状を有する回転光ビームを光ファイバ内で直接（即ち、フリースペース光学系なしで）発生することができ、よって（例えば、上述した従来の技術と比較して）材料加工の向上を促進することができる。
【００１９】
上述したように、図１Ａ及び１Ｂは単なる一例として提示されている。他の例も可能であり、図１Ａ及び１Ｂに関して記載されたものと異ならせてもよい。回転ファイバの設計例に関する追加の詳細は以下に記載される。
【００２０】
図２は、回転光ビーム発生用回転ファイバの使用環境２００の一例を示す図である。図２に示されるように、環境２００は入力ファイバ２１０、回転ファイバ２２０及び出力ファイバ２３０を含んでよい。
【００２１】
入力ファイバ２１０は入力光ビーム（例えば、入力レーザビーム）を回転ファイバ２２０へ発射する。幾つかの実施形態では、入力ファイバ２１０はステップインデックスファイバ又はグレーデッドインデックスファイバとしてよく、光ビームを入力ファイバ２１０の光ファイバ軸の近傍で搬送するように設計してよい。幾つかの実施形態では、入力ファイバ２１０はファイバレーザの出力ファイバに接続してよく、また入力ファイバ２１０はそれ自体をファイバレーザの出力ファイバとしてよい。代わりに、場合によっては、入力光ビームは自由空間から入力ファイバ２１０へ発射してもよい。このような場合には、入力ファイバ２１０は実際上省略してよく、入力光ビームは（例えば、入力ファイバ２１０ではなく）回転ファイバ２２０に直接発射してよい。
【００２２】
システム設計及び入力ファイバ２１０の設計に応じて、入力ファイバ２１０により発射される入力光ビームは、幾つかの実施形態では、入力ファイバ２１０のコアの導波モードの形態であってよい。ステップインデックスファイバの場合には、その導波モードは、二次モーメント法を用いて測定される空中の特性発散半角（θ）を有し、カットオフ条件：
ｓｉｎ（θ）＜ＮＡ
を満足する。ここで、ＮＡ＝√(ｎ12-ｎ22)は開口数であり、ｎ1及びｎ2はそれぞれ入力ファイバのコア及びクラッドの屈折率である。入力ファイバ２１０が非ステップインデックス光ファイバである場合には、導波モードはファイバの波動方程式の通常の解法を用いてアナログ的に定義することができる。
【００２３】
入力ファイバ２１０がステップインデックス光ファイバであろうと、非ステップインデックス光ファイバであろうと、弱導波円環状コアファイバの導波モードは所謂ＬＰモード、ＬＰlm、としてよく、ここで、ｌ（回転量子数）はゼロ又はそれより大きい整数（ｌ≧０）であり、ｍ（動径量子数）は１又はそれより大きい整数（ｍ≧１）である。ｌ及びｍの上限は上述した入力ファイバ２１０の屈折率分布と関連するカットオフ条件により決定することができる。
【００２４】
幾つかの実施形態では、入力ファイバ２１０により発射される入力光ビームはシングルモード光ビーム又はマルチモード光ビームとしてよく、偏光光ビーム又は非偏光光ビームとしてもよい。入力光ビームが偏光ビームである場合には、円偏光が（例えば、直線偏光又は楕円偏光に比較して）回転ファイバ２２０及び／又は出力ファイバ２３０内でより良好に維持されるため、入力光ビームは円偏光としてよい。幾つかの実施形態では、直線偏光の出力光ビームが望ましい場合には、出力ファイバ２３０を例えば四分の一波長板で終端することにより円偏光から直線偏光を生成してよい。
【００２５】
回転ファイバ２２０は、第１の回転状態を有する入力光ビームを第２の回転状態を有する出力光ビームに少なくとも部分的に変換する光ファイバ装置を含む。例えば、回転ファイバ２２０は、光ビーム（例えば、非回転光ビーム）を回転光ビームに少なくとも部分的に変換する光ファイバ装置を含んでよい。幾つかの実施形態では、回転ファイバ２２０は比較的短くしてよいが（例えば、１ｍより小さいが、１ｍｍより大きい長さ）、入力ファイバ２１０及び出力ファイバ２３０の長さは回転ファームウェア２２０が配置される光システムにより決定することができる（例えば、約０．５ｍから約１００ｍの範囲内）。回転ファイバ２２０により発生される回転光ビームと関連する設計局面は以下の段落で説明されるが、回転ファイバ２２０と関連する設計局面は図４Ａ及び４Ｂに関して以下で説明される。
【００２６】
幾つかの実施形態では、回転光ビームは一以上の回転導波モードで伝搬する光を含んでよい。回転導波モードはｌ≧１及び一つの確定回転方向を有するモードとして定義される。一つの確定回転方向を有するモードは次のように決定される。ｌ≧１を有するモードに対して、ＬＰモードはｓｉｎ（ｌφ）及びｃｏｓ（ｌφ）又はｅ±（ｉｌφ)のいずれかと依存するモードとして表すことができ、ここでφは角度座標である。ｌ＝０を有するモードは角度依存性を持たない。サイン及びコサインモードはその角度方向において角節点及びゼロ正味回転方向を有する定在波である。複素指数モードは角節点を持たない角進行波である。これらのモードは一つの確定回転方向（例えば、時計回り又は反時計回り）を有し、この方向はｅ±（ｉｌφ)中の（＋）又は（−）の選択で選択される。
【００２７】
幾つかの実施形態では、本明細書に記載する回転光ビームの回転導波モードに対して、ｍは１に等しくしてよく（ｍ＝１）、またｌよりずっと小さくしてもよい（例えばｌの約５０％未満、ｌの約２０％未満など）。幾つかの実施形態では、比較的低い値のｍ（ｌに比較して）を用いて回転導波モードを顕著な円環形状にすることができる。特に、ｍ＝１を有する回転導波モードは原点の零点以外に半径方向節点を有しない。換言すれば、ｍ=１を有する回転導波モードは単一リングである（それより高い値のｍはｍ個の同心リングを有する回転導波モードに対応する）。幾つかの実施形態では、一つの確定回転方向を有し、角節点及び／又は半径方向節点を全く又は殆ど有しない角進行波を回転ファイバ２２０によって発生させることができる。
【００２８】
図３は、放物線状グレーデッドインデックスファイバのカットオフ以下における様々な低次導波モードＬＰlmの横方向ニアフィールド強度パターンを示す図である。他の回転対称屈折率分布を有する光ファイバ、例えばステップインデックスファイバ、のモードは図３に示す強度分布と同様の強度分布を有し得る。図３において、各ｍに対する角周波数定在波（ｃｏｓｉｎｅ）モードと進行波モードの両方がｌ≧１に対して、各ｍに対応する左と右の列にそれぞれ示されている。
【００２９】
幾つかの実施形態では、ｍ＝１の回転導波モード（例えば、図３に黒いボックスで示されている）は回転ファイバ２２０により発生される回転光ビームに含まれる。特に、このセットの回転導波モードはｌの高い値（例えばｌ＝２０以上）にまで及ぶ。図に示すように、ｍ＝１の回転導波モードは如何なる方向にも節点のない顕著な円環形状を有する。幾つかの実施形態では、僅かに高いｍ（例えばｍ＝２、ｍ＝３など）を有する回転導波モードも、特に高いｌの値に対して有用な円環状ビームを提供し得る。幾つかの実施形態では、回転光ビームに含まれる一以上の回転導波モードは、１０以上のｌ値（ｌ≧１０、例えばｌ=１５、ｌ=１８、ｌ=２０等）を有してよい。
【００３０】
加えて又は代わりに、回転光ビームは一以上の回転漏洩波で伝搬する光を含んでよい。漏洩波は光ファイバ内の非導波光（光ファイバのコアにより導波されない光）に分類される。光ファイバのコア内に入射された漏洩波光は光ファイバのクラッド内に漏出し得る。しかしながら、ファイバ内の大部分の非導波光と対照的に、漏洩波光はコアからクラッド内へ比較的ゆっくり漏洩する。
【００３１】
特に、回転漏洩波光は比較的広いパラメータの範囲に亘って低い損失を有し得る。例えば、０．１０のＮＡ及び５０マイクロメートル（μｍ）のコア直径を有するステップインデックスシリカファイバでは、１０３０ナノメートルの波長（λ＝１０３０ｎｍ）を有する回転漏洩波光は、半径方向節点を持たず、ｓｉｎ（θ）＝０．１１であるような特性発散半角θを有し、僅か０．１４デシベル／メートル（ｄＢ/ｍ）の計算損失を有する。従って、回転漏洩波は導波モードの基準を満足しないが、数ｄＢまでの損失を許容し得る場合には、回転漏洩波は数十メートル以下程度の出力ファイバ長を用いる用途、例えば受動光パワー供給ファイバ及び能動増幅ファイバなどに使用することができる。回転導波モードに場合と同様に、回転漏洩波は一つの確定回転方向を有するとともに、角周波数節点、一般に半径方向節点を全く又は殆ど持たず、回転ファイバ２２０により発生される回転光ビームに含めることができる。幾つかの実施形態では、回転光ビームに含まれる一以上の回転漏洩波は１０以上のｌ（ｌ≧１０、例えばｌ＝１５、ｌ＝１８、ｌ＝２０など）を有してよい。
【００３２】
幾つかの実施形態では、回転光ビームは一以上の回転導波モード及び／又は一以上の漏洩波を含んでよい。幾つかの実施形態では、入力光ビームがシングルモード光ビームである場合には、回転ファイバ２２０は、回転光ビームが比較的純粋な（例えば、約５０％超の純度、８０％超の純度など）シングル回転導波モード又は特定値のｌを有する回転漏洩波を含むように設計してよい。換言すれば、幾つかの実施形態では、回転ファイバ２２０は、入力光ビームと関連する入力パワーの少なくとも５０％が出力光ビーム内でシングル回転導波モード又はシングル回転漏洩波に変換されるように設計してよい。上述したように、この回転光ビーム（例えば一以上の回転導波モード及び／又は一以上の回転漏洩波を含む）は回転ファイル２２０の出力端で円環形状を有する。
【００３３】
図２に戻り説明すると、出力ファイバ２３０は回転ファイバ２２０により放出された出力光ビーム（例えば、回転光ビーム）を受光する出力ファイバを含む。幾つかの実施形態では、出力ファイバ２３０は、ステップインデックスファイバ、グレーデッドインデックスファイバ、又は特別の屈折率分布を有するファイバ、例えば回転光ビームを他のモード又は漏洩波への最小の結合で搬送するように設計された及び／又は好ましい半径方向強度分布を提供するように設計された円環状コアファイバとしてよい。幾つかの実施形態では、システムの出力が（例えば、ファイバに結合されずに）自由空間に直接結合される場合には、出力ファイバ２３０は省略してもよい。
【００３４】
図２と関連して示され記載された要素の数及び配置は一例として提示されている。実際上、環境２００は追加の要素、もっと少ない要素、異なる要素、図２に示す要素と異なって配置された要素及び／又は異なった大きさの要素を含んでもよい。
【００３５】
図４Ａ及び４Ｂは、回転光ビームを発生する回転ファイバ２２０の例の断面４００及び４５０をそれぞれ示す図である。
【００３６】
図４Ａに示されるように、幾つかの実施形態では、回転ファイバ２２０は、屈折率ｎ１を有する主区分４１０（例えば、図４Ａに示す例では区分４１０−１，４１０−２，４１０−３及び４１０−４）と屈折率ｎ３を有する副区分４３０とを含む単一コア４０５を含んでよい。単一コア４０５は、単一コア４０５の区分（例えば、主区分４１０及び副区分４３０）が互いに接して回転ファイバ２２０内で単一ユニットを形成するということで単一という。図に更に示されるように、回転ファイバ２２０は、単一コア４０５を取り囲む屈折率ｎ２を有するクラッド４２０を含んでよい。幾つかの実施形態では、断面４００で示されるように、副区分４３０は、副区分４３０の少なくとも一部分が単一コア４０５の中心からオフセットされるように単一コア４０５内に配置してよい。
【００３７】
幾つかの実施形態では、単一コア４０５は回転ファイバ２２０の光軸（例えば回転ファイバ２２０の中心軸）を中心に回転ファイバ２２０の長さに沿って（上述したように及び図１Ｂに示すように）ねじることができる。幾つかの実施形態では、光軸を中心とするねじれ率は、回転ファイバ２２０の第１の端（例えば、入力ファイバ２１０に最も近い端）における第１のねじれ率から回転ファイバ２１０の第２の端（例えば、出力ファイバ２３に最も近い端）における第２のねじれ率へ増加させる。例えば、回転ファイバの入力端におけるねじれ率はゼロ又はほぼゼロねじれ／ｍｍ（例えば約０．０２ねじれ／ｍｍ（約５０ｍｍにつき１ねじれ）以下のねじれ率から、回転ファイバ２２０の出力端における約０．１７ねじれ／ｍｍ（例えば約６ｍｍにつき１ねじれ）以上のねじれ率へ増加させてよい。
【００３８】
幾つかの実施形態では、回転ファイバ２２０は、単一コア４０５のサイズ（例えば、直径）が回転ファイバ２２０のそれぞれの端で入力ファイバ２１０及び／又は出力ファイバ２３０のサイズに実質的に合致するようにテーパーを付けてよい。
【００３９】
図５はテーパー付き回転ファイバ２２０の一例を示す図である。図５に示されように、幾つかの実施形態では、回転ファイバ２２０は、回転ファイバ２２０の入力端（例えば、入力ファイバ２１０にスプライス接続される端で、この端のねじれ率はゼロ又はほぼゼロである）における回転ファイバ２２０のサイズは、回転ファイバ２２０の出力端（例えば、出力ファイバ２３０にスプライス接続される端で、そのねじれ率は入力端に比べて増加している）における回転ファイバのサイズより小さい。
【００４０】
更に図５に示されるように、単一コア４０５の光軸を中心とするねじれ率は、回転ファイバ２２０の入力端（例えば、入力ファイバ２１０にスプライス接続される端）における第１のねじれ率（例えば、ゼロ又はほぼゼロのねじれ率）から、回転ファイバ２２０の出力端における第２のねじれ率に増加してよい。上述したように、図５は単なる一例にすぎない。他の例も可能であり、図５に関して記載したものと異ならせてもよい。回転ファイバ２２０は図５に直線状として示されているが、回転ファイバ２２０は任意の形状にしてよい。
【００４１】
図４Ａに戻り説明すると、幾つかの実施形態では、ｎ１はｎ２及びｎ３より大きく、ｎ３はｎ２に等しいかそれより大きくする（ｎ２≦ｎ３＜ｎ１）。換言すれば、ｎ１はｎ３及びｎ２と異ならせ（例えば、それらより大きくし），ｎ３はｎ２と異ならせてよい（例えば、それより大きく又はそれに等しくしてよい。この回転ファイバ２２０の屈折率間の関係は、光が回転ファイバ２２０を伝搬するとき、回転光ビームの生成を促進する。例えば、入力光ビームの大部分は主区分４１０（屈折率ｎ１を有する）に入射し得るが、入力光ビームの一部分は副区分４３０（屈折率ｎ３を有する）に入射し得る。ここで、ｎ１及びｎ３はｎ２（クラッド４２０の屈折率）より大きいため、単一コア４０５（主区分４１０と副区分４３０）に入射した光はクラッド４２０により導波される。更に、ｎ３はｎ１より小さいため、副区分４３０は主区分４１０の別々の区分内の光をいくらか導波するとともに、単一コア４０５が光軸を中心にねじれているため、それらの光を回転ファイバ２２０の光軸を中心に回転ファイバ２２０の長さに沿ってねじり、それによって回転光ビームを発生する。
【００４２】
幾つかの実施形態では、断面４００に例示されるように、副区分４３０は主区分４１０を少なくとも２つの区分に分離してよい（例えば、副区分４３０を主区分４１０の区分間に位置してよい）。幾つかの実施形態では、単一コア４０５は少なくとも２つの区分（例えば、２つの区分、３つの区分、４つの区分、６つの区分など）を有する主区分４１０を含んでよい。幾つかの実施形態では、主区分４１０の区分の少なくとも２つはほぼ等しい断面積を有してよい。加えて又は代わりに、主区分４１０の区分の少なくとも２つは異なる断面積を有してよい。
【００４３】
幾つかの実施形態では、断面４００に例示されるように、副区分４３０の断面は回転ファイバ２２０の光軸に対して対称にしてよい。或いは、副区分４３０の断面は、幾つかの実施形態では、光軸に対して非対称にしてもよい。
【００４４】
幾つかの実施形態では、副区分４３０は少なくとも３つの部分を備えてよく、その少なくとも３つの部分は回転ファイバ２２０の断面の平面内で回転ファイバ２２０の光軸と直角の方向に延在する。幾つかの実施形態では、少なくとも３つの部分の一つが延在する方向は少なくとも３つの部分の別の一つが延在する方向に直角にしてよい。例えば、断面４００を参照すると、副区分４３０は、水平部分、第１の垂直部分（例えば、図４Ａにおける副区分４３０の水平部分より上の垂直部分）及び第２の垂直部分（図４Ａにおける副区分４３０の水平部分より下の垂直部分）を含んでよい。ここで、図に示されるように、水平部分、第１の垂直部分及び第２の垂直部分は回転ファイバ２２０の断面の平面内で回転ファイバ２２０の光軸と直角の方向に延在する。更に図４に示されるように、水平部分が延在する方向は第１の垂直部分が延在する方向と直角であり、且つ水平部分が延在する方向は第２の垂直部分が延在する方向と直角である。
【００４５】
特に、断面４００は単なる一例として例示されている。一般的に、単一コア４０５（例えば主区分４１０と副区分４３０を備える）は回転ファイバ２２０の光軸に対して角度変化する屈折率構造を有し、単一コア４０５は回転ファイバ２２０の光軸を中心にその長さに沿ってねじれる。例示的な断面４００において、角度変化する屈折率構造はクラッド４２０で囲まれた単一コア４０５内の「＋」形状の副区分の屈折率構造である。この例では、副区分４３０は、主区分４１０の区分が副区分４３０により分離される完全な分割器を形成する。
【００４６】
回転ファイバ２２０は角度変化する屈折率構造の別の例を含むこともでき、この回転ファイバでは主区分４１０は副区分４３０によって分離された図４Ａに示す例と異なる数の区分を含む。幾つかの実施形態では、単一コア４０５の屈折率構造と関連する対称の副区分は、回転出力ビームに含めるべき所望の回転導波モードに基づいて選択することができる。例えば、ｌ＝８を有する回転導波モードが望まれる場合には、回転ファイバ２２０の光軸を中心とする対称の副区分４３０は、単一コア４０５の屈折率構造が対称の８ブレード分割器を形成するように（例えば、主区分４１０が８個の区分を備えるように）選択してよい。一般的に、対称の副区分４３０はｌの値又はその倍数に等しいｌを有するモードを優先的に生成し得る。例えば、回転ファイバ２２０が対称な４ブレード分割器を形成する副区分４３０含み、例えば、その結果主区分４１０が断面４００に示されるように４つの区分を備える場合には、ｌ＝４を有するモード並びに４の倍数、例えばｌ=０、ｌ=８、ｌ＝１２、ｌ=１６などのｌ値を有するモードが優先的に励起され得る。
【００４７】
回転ファイバ２２０は角度変化する屈折率構造の更に別の例を含むこともでき、この回転ファイバでは副区分４３０が（例えば、主区分４１０を複数の区分に分離しないで）単一コア４０５を回転ファイバ２２０の光軸に対して非対称の断面形状にする。
【００４８】
回転ファイバ２２０は角度変化する屈折率構造の更に他の例を含むこともでき、この回転ファイバでは、主区分４１０及び／又は副区分４３０はグレーデッドインデックス材料よりなり、副区分４３０が部分的な分割器（例えば、例示的な断面４００に示される完全な分割器と比較すると、例えばクラッド４２０の内径の約８５％に及ぶ副区分４３０、それによって単一の相互接続された主区分４１０を含む単一区分４０５が形成される）を形成し、単一コア４０５内に偏心含有物を含める。
【００４９】
別の例として図４Ｂの例示的な断面４５０で示されるように、幾つかの実施形態では、回転ファイバ２２０は副区分４３０を含まなくてもよい（例えば、回転ファイバ２２０は屈折率ｎ３を有する材料を含まなくてもよい）。換言すれば、幾つかの実施形態では、単一コア４０５は主区分４１０だけを含んでよい。このような場合には、屈折率構造の角度変化はクラッド４２０内の非円環形状の主区分４１０で決定することができる（例えば、五角星形状の主区分４１０が例示的な断面４５０に示されている）。概して、主区分４１０の非円環形状の周縁は少なくとも部分的にへこませてよい（例えば、五画星形状の主区分４１０は５つの凹部を含んでいる）。このような場合には、非円環形状の単一コア４０５は（例えば、五画星形の先端部が回転ファイバ２２０の光軸を中心に回転ファイバ２２０の長さに沿って回転するように）回転ファイバ２２０の長さに沿ってねじってよい。ここで、非円環状単一コア４０５が光軸を中心にねじれているために、非円環状単一コア４０５内を伝搬する光（例えば、例示的な断面４５０に示される五画星形の先端部又はその近傍を伝搬する光）は回転ファイバ２２０の光軸を中心にねじられ、それによって回転光ビームが生成される。いくつかの実施形態では、非円環状単一コア４０５（即ち、非円環状の主区分４１０）を含む回転ファイバ２２０は、単一コア４０５のサイズが回転ファイバ２２０のそれぞれの端で入力ファイバ２１０及び／又は出力ファイバ２３０のコアのサイズと実質的に合致するようにテーパーをつけてよい。
【００５０】
上述したように、図４Ａ及び４Ｂは単なる一例として与えられている。他の例も可能であり、図１Ａ及び１Ｂについて記載した例と異ならせてもよい。
【００５１】
幾つかの実施形態では、角度変化する断面を有する回転ファイバ２２０は、ロッドインチューブ母材アセンブリ法を用いて製造することができ、よって回転ファイバ２２０の母材は（例えば、各々適切な屈折率を有する多数の個別のガラス片を用いて）製造される。回転ファイバ２２０の母材はその後ガラスの融点近くで融合し得る。ねじりは、ファイバ線引きプロセス中に、母材スピンイング技術（例えば、幾つかの偏光保持ファイバ、低複屈折ファイバ又はキラリー結合コアファイバで使用される技術に類似する）を用いて実行する、又はファイバ線引きプロセス後に、短い長さの回転ファイバ２２０を加熱しながら（例えば溶融テーパーリング中に）ねじることによって実行することができる。回転ファイバ２２０の製造に関する更なる詳細は図６及び図７について後述される。
【００５２】
動作中、回転ファイバ２２０は回転ファイバ２２０の第１の端で光ビームを受光し得る。光ビームは回転ファイバ２２０中を伝搬するので、回転ファイバ２２０は少なくとも部分的に光ビームを回転光ビームに変換し、その回転光ビームを出力ファイバ２３０へ出力し得る。
【００５３】
幾つかの実施形態では、回転ファイバ２２０のモードは角度変化する屈折率構造に従い、つまり光が回転ファイバ２２０を伝搬するにつれて、モードは本質的に回転特性になる。結果として、回転ファイバ２２０が出力ファイバ２３０にスプライス接続されると、出力ファイバ２３０に出力される光は一以上の回転導波モード及び／又は一以上の回転漏洩波よりなる回転状態になり得る。回転ファイバ２２０の出力端におけるねじれ率（Φ、例えば１ミリメートル当たりの回転数の単位）が回転光ビームの出力発散半角θ及び近似回転状態を次の関係式に従って決定する。
ｓｉｎ（θ）〜２πｎ１ＲΦ
ｌ〜２πＲｓｉｎ（θ）／λ
ここで、Ｒは回転導波モード及び／又は回転漏洩波の有効半径であり、一般的に単一コア４０５の半径より約１０％小さい。従って、例えば、６ｍｍの回転ピッチ、１．４５０のコア屈折率（例えば溶融シリカガラスに特有である）及びλ＝１０８０ｎｍの動作波長を有する１００μｍのコア直径の回転ファイバ２２０を用いると、有効半径は約４５×１０−６ｍ（例えば、Ｒ〜９０％×（１００/２）＝４５×１０−６ｍ）である。ここで、ねじれ率は１６６．７回転／メートル（例えば、１/６ｍｍ＝１６６．７）であり、従って、ｓｉｎ（θ）〜０．０６８ラジアン及びｌは約１８（例えば、ｌ〜１８）になる。
【００５４】
１８の回転状態は高度の回転ビームを表し、〜０．０６８ラジアンの出力発散角は産業上の利用におけるファイバ出力レーザビームに特有である。ＢＰＰは３．１ｍｍ−ｍａｄ（例えば、４５×０．０６８＝３．１ｍｍ−ｍａｄ）であり、これは薄い板金加工に適しているが、円環ビーム形状と同様に厚板金加工にも適している。
【００５５】
任意の光ファイバと同様に、回転ファイバ２２０の導光能力は回転ファイバ２２０のＮＡによって決定され、ここで、ＮＡ＝√(ｎ12-ｎ22)である。上記の例に対して、回転光ビームを一つ又は複数の回転導波モードとして搬送するためには、回転ファイバ２２０のＮＡは少なくとも０．０６８とすべきである。従って、ｎ２の値は、例えばドープ溶融シリカを用いて達成できるように、１．４４８４又はそれより小さくすべきである。或いは、回転光ビームを回転漏洩波として搬送するのが望ましい場合には、０．０６８より僅かに小さいＮＡの値（例えば、約０．０６０から約０，０６７の範囲内の値）を使用することができる。幾つかの実施形態では、出力ファイバ２３０も回転光ビームを回転導波モード及び／又は回転漏洩波として導波するために適切なＮＡを有するべきである。
【００５６】
幾つかの実施形態では、入力ファイバ２１０の回転ファイバ２２０への結合品質は、入力パワーが（例えば、回転ファイバ２２０から外へ散乱される又は例えば多くの異なるモードを含む低ビーム品質の非回転光として伝搬されるのと対照的に）回転ファイバ２２０の出力で高輝度回転光パワーにどのくらい効率よく変換されるかを決定し得る。このような高効率のビーム変換を確実にするために、あらゆる遷移部を特に３つの態様で平滑化及び断熱化すべきである。
【００５７】
断熱遷移部の提供と関連する第１の態様は、入力ファイバ２１０から回転ファイバ２２０への及び回転ファイバ２２０から出力ファイバ２３０への遷移部のコアサイズは導波モード及び／又は漏洩波が有意のモードスクランブリングなしで導波されるようにほぼ合致させるべきである。従って、入力ファイバ２１０のコアと出力ファイバ２３０のコアが異なるサイズである場合には、回転ファイバ２２０は、回転ファイバ２２０の入力端のコアサイズ及び回転ファイバ２２０の出力端のコアサイズがそれぞれ入力ファイバ２１０及び出力ファイバ２３０のコアサイズに合致するように、（例えば、図５に関して上述したように）テーパーをつけるべきである。幾つかの実施形態では、テーパー率は断熱遷移を可能にするために十分にゆるやかにしてよい。幾つかの実施形態では、依然として断熱を維持しながら比較的短いテーパーを可能にするために平方根テーパープロファイルを使用してもよい。
【００５８】
断熱遷移の提供と関連する別の態様は、回転ファイバ２２０のねじれ率は回転ファイバ２２０の入力端（例えば、入力ファイバ２１０に最も近い端）でゼロ又はほぼゼロにすべきであり、回転ファイバ２２０の長さに沿ってゆっくり増加させるべきである。例えば、入力ファイバ２１０の近くの回転ファイバ２２０のねじれ率は約２以下、０．５以下、等の回転状態ｌに対応させてよい。幾つかの実施形態では、ねじれ率は回転ファイバ２２０の出力端（出力ファイ２３０に最も近い端）の近くの最大ねじれ率まで回転ファイバ２２０の長さに沿って増加させてよい。ここで、ねじれ率の変化割合は断熱遷移を可能にするために十分にゆるやかにすべきである。
【００５９】
断熱繊維の提供と関連する更に別の態様は、入力ファイバ２１０から副区分４３０（回転ファイバ２２０内に組み込まれている場合）に直接入射される光がその後主区分４１０により捕捉されてこの光が回転特性も得るようにしなければならない。幾つかの実施形態では、この効果は、回転ファイバ２２０のサイズを入力ファイバ２１０から出力ファイバ２３０へ上向きテーパー状にするときに達成することができる。従って、上述した第１の態様を満たすためには、出力ファイバ２３０のコアサイズは入力ファイバ２１０のコアサイズより大きくなければならない。副区分４３０に最初に入射された光はクラッド４２０により導波され得るが、この光は主区分４１０及び副区分４３０を横切って導波されずに旋回する。回転ファイバ２２０のコアサイズが出力ファイバ２３０に向かって上向きにテーパーしているとき、この光の発散角は（如何なる光ファイバテーパーについても知られているように）コアサイズに反比例して減少し、発散角が主区分４１０の屈折率と副区分４３０の屈折率の界面（即ちｎ１−ｎ３界面）により決まるＮＡより低くなるとき、この光はますます主区分４１０内に閉じ込められることになる。幾つかの実施形態では、適切な設計の回転ファイバ２２０及び関連するテーパー率によれば、副区分４３０に入射される光の少なくとも５０％（例えば８０％）が主区分４１０により捕捉され、回転特性が得られる。
【００６０】
図６は回転ファイバ２２０を製造するスパンファイバ技術の例示的なプロセス６００のフローチャートである。
【００６１】
図６に示されるように、プロセス６００は、回転ファイバ２２０の中心に対して角度変化する屈折率構造を持つ単一コアを有する回転ファイバ２２０の母材を製造するステップを含んでよい（ブロック６１０）。例えば、図４Ａに示すようなファイバ断面構造を有する母材は、ｎ１の屈折率を有するガラスの４つの四半円ピース（例えば、主区分４１０を形成するため）、ｎ３の屈折率を有するガラスの少なくとも３つの板（例えば、副区分４３０を形成するため）、及び屈折率ｎ２を有するガラスチューブ（例えば、クラッド４２０を形成するため）を用いて製造することができる。回転ファイバ４２０の母材を製造する他の方法も可能である。
【００６２】
更に図６に示されるように、プロセス６００はコンソリデートされた回転ファイバ２２０の母材を生成するために回転ファイバ２２０の母材をコンソリデートするステップを含んでよい（ブロック６２０）。幾つかの実施形態では、回転ファイバ２２０の母材は熱源を用いて（例えば回転ファイバ２２０の母材のガラス片が融合するように）コンソリデートしてよい。幾つかの実施形態では、回転ファイバ２２０の母材はブロック６１０と関連する母材形成プロセス中、又は以下に記載するブロック６３０と関連する線引き及びスピニングプロセス中にコンソリデートしてよい。
【００６３】
図６に更に示されるように、プロセス６００はスパン回転ファイバ２２０を生成するためにコンソリデートされた回転ファイバ２２０母材を線引きと同時にスピンさせるステップを含んでよい（ブロック６３０）。幾つかの実施形態では、コンソリデートされた回転ファイバ２２０母材をファイバ線引き塔上の母材スピナに固定し、コンソリデートされた回転ファイバ２２０母材を（例えば、所謂スパンファイバの生成と関連する通常の技術を用いて）スピンさせながら線引きしてよい。
【００６４】
幾つかの実施形態では、ファイバ線引き速度に対するスピン速度がスパン回転ファイバ２２０のねじれ率を決定する。幾つかの実施形態では、スピン速度は、スパン回転ファイバ２２０のねじれ率が回転光ビームにとって望ましいものとなるように選択される。典型的なねじれ速度は、例えば約５０回転／メートルから約２０００回転／メートルの範囲内である（しかし、場合によってはもっと遅い又は速い速度でもよい）。幾つかの実施形態では、スパン回転ファイバ２２０は、コアのサイズ（例えば、単一コア４０５の直径）が出力ファイバ２３０のコアのサイズにほぼ等しいか僅かに小さくなるように線引きしてもよい。
【００６５】
図６に更に示されるように、プロセス６００はスパン回転ファイバ２２０を出力ファイバ２３０の端にスプライス接続するステップ（ブロック６４０）を含んでよい。例えば、スパン回転ファイバ２２０の端は出力ファイバ２３０の端に溶着接続してよい。
【００６６】
図６に更に示されるように、テーパー状スパン回転ファイバ２２０を形成するためにスパン回転ファイバ２２０をテーパー化するステップ含んでよく、テーパー状スパン回転ファイバ２２０内において、単一コアはテーパー状スパンファイバ２２０の光軸を中心にテーパー状スパン回転ファイバ２２０の長さに沿って回転している（ブロック６５０）。
【００６７】
幾つかの実施形態では、熱源（例えば、トーチ、溶着スプライサ等）を用いてスパン回転フィルタ２２０を加熱し軟化して、スパン回転ファイバ２２０のコアのサイズが入力ファイバ２１０のコアのサイズにほぼ等しいかそれより僅かに大きいサイズに次第に小さくなるように下向きテーパーを形成することができる。ここで、テーパーリングは、（図５に示されるように）本質的にテーパー状スパン回転ファイバ２２０のねじれ率を減少するため、テーパー状スパン回転ファイバ２２０の入力端におけるねじれ率はゼロ又はほぼゼロにできるので、入力ファイバ２１０により入射される光ビームの一般的に非回転特性への合致を達成することができる。
【００６８】
上述したように、例えば、輝度損失を最小にするため及び／又はテーパー状スパン回転ファイバ２２０により回転光ビームに生成される回転状態の純度を最大にするために、テーパー状スパン回転ファイバ２２０を伝搬する光の遷移部（例えば、第１の回転状態から第２の回転状態への遷移部）が断熱又はほぼ断熱になるようにテーバー率を選択してよい。もっと具体的にいうと、コアのサイズの増加割合、ねじれ率の増加、及びクラッド４２０から単一コア４０５内への光の移動は断熱遷移を確保するために十分に漸進的にすべきである。断熱遷移は、遷移をもっと漸進的にすることは有意の性能向上をもたらさないと定義することができる。
【００６９】
幾つかの実施形態では、テーパー状のスパン回転ファイバ２２０を生成するためのテーパーリング後に、テーパー状のスパン回転ファイバ２２０は入力ファイバ２１０の一端にスプライス接続（例えば、融着接続）してよい。
【００７０】
一例として、１００μｍコア径のテーパー状スパン回転ファイバ２２０に対して既に提示された値を用いると、１００μｍコア径の出力ファイバ２３０を回転ファイバ２２０にスプライス接続することができ、テーパー状スパン回転ファイバ２２０の入力端は、例えば３０μｍコアの入力ファイバ２１０に合致させるために、３０μｍコア径にテーパー化することができる。この例では、ねじれ率はこのテーパーにより１５回転／メートル（例えば、(３０／１００)２×１６６．７＝１５回転／メートル）に低減するように計算でき、回転ファイバ２２０の入力端において約０．１８（ｌ〜０．１８）の回転状態になり、従って入力ファイバ２１０により搬送される非回転入力光ビームに良好に合致する。幾つかの実施形態では、入力ファイバ２１０のコアは出力コア２３０のコアよりサイズがかなり小さくしてよい（例えば、入力ファイバ２１０のコアのサイズは出力ファイバ２３０のコアのサイズの約３０％以下にしてよい）ため、回転ファイバ２２０は回転ファイバ２２０の入力端においてゼロ又はほぼゼロのねじれ率にしてよい。
【００７１】
図６はプロセス６００の例示的なステップを示すが、プロセス６００は追加のステップ、もっと少数のステップ、異なるステップ、又は図６に示されるステップと異なって配置されたステップを含んでもよい。加えて又は代わりに、プロセス６００の２以上のステップを並列に実行してもよい。
【００７２】
幾つかの実施形態では、回転ファイバ２２０を製造するスパンファイバ技術のプロセスは、回転ファイバ母材の中心に対して角度変化する屈折率構造を持つ単一コアを有する回転ファイバ母材を製造するステップと、コンソリデートされた回転ファイバ母材を生成するために回転ファイバ母材をコンソリデートするステップと、スパン回転ファイバを生成するためにコンソリデートされた回転ファイバ母材をスピンさせながら線引きするステップと、テーパー状スパン回転ファイバを生成するためにスパン回転ファイバをテーパー化するステップとを含んでよく、テーパー状スパン回転ファイバ内で単一コアがターパー状スパン回転ファイバの光軸を中心にテーパー状スパン回転ファイバの長さに沿って回転している。幾つかの実施形態では、スパン回転ファイバのテーパー化は入力ファイバと出力ファイバの間の断熱遷移を生成するとともに、第１の回転状態から第２の回転状態への断熱遷移を生成する。
【００７３】
図７は回転ファイバ２２０を製造するねじれファイバ技術の例示的なプロセス７００のフローチャートである。
【００７４】
図７に示されるように、プロセス７００は、回転ファイバ母材の中心に対して角度変化する屈折率構造を持つ単一コアを有する回転ファイバ２２０の母材を製造するステップを含んでよい（ブロック７２０）。例えば、回転ファイバ２２０母材は例示的なプロセス６００と関連して上述したものと同様に製造してよい。
【００７５】
図７に更に示されるように、プロセス７００は、コンソリデートされた回転ファイバ２２０母材を生成するために回転ファイバ２２０母材をコンソリデートするステップを含んでよい（ブロック７２０）。例えば、回転ファイバ２２０母材は例示的なプロセス６００と関連して上述したものと同様にコンソリデートしてよい。
【００７６】
図７に更に示されるように、プロセス７００は線引きされた回転ファイバ２２０を生成するためにコンソリデートされた回転ファイバ２２０母材を線引きするステップを含んでよい（ブロック７３０）。幾つかの実施形態では、コンソリデートされた回転ファイバ２２０母材を通常のファイバ線引きプロセスを用いて、スピンを加えずに、線引きされた回転ファイバ２２０のコアのサイズ（例えば、単一コアのサイズ）が出力ファイバ２３０のコアのサイズにほぼ等しいかそれより僅かに小さくなるように線引きしてよい。
【００７７】
図７に更に示されるように、プロセス７００は線引きされた回転ファイバ２２０を出力ファイバ２３０の端にスプライス接続するステップを含んでよい（ブロック７４０）。例えば、線引きされた回転ファイバ２２０の端は出力ファイバ２３０の端に溶着接続してよい。
【００７８】
図７に更に示されるように、プロセス７００は、ねじれ回転ファイバ２２０を生成するために線引きされた回転ファイバ２２０をねじるステップを含んでよく、ねじれ回転ファイバ２２０内の単一コアはねじれ回転ファイバ２２０の光軸を中心にねじれ回転ファイバ２２０の長さに沿ってねじれている（ブロック７５０）。
【００７９】
幾つかの実施形態では、可変のねじれ率（例えば、ねじれ回転ファイバ２２０の入力端におけるゼロ又はほぼゼロからねじれ回転ファイバ２２０の出力端における所望のねじれ率まで変化するねじれ率）を有するねじれ回転ファイバ２２０を生成するために、線引き回転ファイバ２２０をスパン回転フィルタ２２０を加熱し軟化する熱源（例えば、トーチ、溶着スプライサ等）を用いて加熱及び／又は軟化しながらねじってよい。幾つかの実施形態では、ねじれ回転ファイバ２２０のサイズが入力ファイバ２１０と出力ファイバ２３０の両方に合致するようにねじれ回転ファイバ２２０にテーパープロファイルを与えてもよい。
【００８０】
幾つかの実施形態では、ねじれスパン回転ファイバ２２０を生成するために、ねじれ回転ファイバ２２０を入力ファイバ２１０の端にスプライス接続（溶着接続）してよい。
【００８１】
特に、プロセス７００は、テーパー状スパン回転ファイバ２２０と関連する一定のねじれではなく、可変のねじれをねじれ回転ファイバ２２０に生成する必要があるため、プロセス６００より幾分複雑になり得る。しかしながら、プロセス７００は、プロセス６００と比較して追加の自由度を提供し得る。例えば、プロセス７００は出力ファイバ２３０のコアサイズより大きいコアサイズを有する入力ファイバ２１０の使用を可能にする。別の例として、プロセス７００は、プロセス６００と比較して、ねじれ回転ファイバ２２０の入力端のねじれ率を（例えば、ほぼゼロではなく）ゼロにすることができる。プロセス６００の場合にはテーパー状スパン回転ファイバの入力端におけるねじれ率はスパンファイバ技術においてテーパー比によって決まる。幾つかの実施形態では、ハイブリッド手法が可能であり、その場合には、入力端のねじれ率を微調整する（又は完全にゼロにする）ために、スパン回転ファイバ２２０は熱源を用いてテーパー化と追加の可変ねじれによって修正することができる。
【００８２】
図７はプロセス７００の例示的なステップを示すが、プロセス７００は追加のステップ、もっと少ないステップ、異なるステップ、又は図７に示されるステップと異なって配置されたステップを含んでもよい。加えて又は代わりに、プロセス７００の２以上のステップを並列に実行してもよい。
【００８３】
幾つかの実施形態では、回転ファイバ２２０を製造するねじれファイバ技術のプロセスは、回転ファイバ母材の中心に対して角度変化する屈折率構造を持つ単一コアを含む回転ファイバ母材を製造するステップ、コンソリデートされた回転ファイバ母材を生成するために回転ファイバ母材をコンソリデートするステップ、線引き回転ファイバを生成するためにコンソリデートされた回転ファイバ母材を線引きするステップ、及びねじれ回転ファイバを生成するために線引き回転ファイバ２２０をねじるステップを含んでよく、ねじれ回転ファイバ内の単一コアはねじれ回転ファイバの光軸を中心にねじれ回転ファイバの長さに沿ってねじれている。幾つかの実施形態では、このプロセスは更に、線引き回転ファイバをねじりながら線引き回転ファイバを熱源で軟化させ、線引き回転ファイバがその長さに沿って可変のねじれを有するようにねじられるステップを含んでよい。
【００８４】
図８Ａ−８Ｃは回転ファイバ２２０の様々なテーパー長を用いたシミュレーション例と関連する図である。図８Ａ−８Ｃと関連するシミュレーション例では、入力ファイバ２１０は３０μｍコアを有し、出力ファイバ２３０は１００μｍコアを有する。回転ファイバ２２０は３０μｍコアから１００μｍコアまで放物状プロファイルのテーパーを有する回転ファイバであり、回転ファイバ２２０の出力端で１６６．７回転／ｍのねじれ率を有する。更に、入力ファイバ２１０は６つの同等に存在するモード：ＬＰ01．ＬＰ02，ＬＰ11(+)，ＬＰ11(-)，ＬＰ21(+)，及びＬＰ21(-)：を搬送し、ここで(+)及び(-)は対応するモードの２つの可能な回転方向を示す。ＬＰ11モード及びＬＰ21モードはそれぞれ少量の回転（それぞれｌ=１及びｌ＝２）を有するが、全６つのモードは同等に存在するため、入力モードの混合はゼロの平均回転状態を有する。回転ファイバ２２０のクラッドのＮＡは０．２２である（例えば、そのためすべての関連モードが強く導波される）。出力光ビームの品質は励起されるモードの数で特徴づけられる。
【００８５】
図８Ａ及び８Ｂの回転ファイバ２２０は１０ｍｍ、４０ｍｍ、及び８０ｍｍのテーパー長の断熱性を評価するためにそれぞれのテーパー長と関連している。このシミュレーション例は、要望どおり、出力放射はほぼ完全に強い回転モードＬＰl1の形態になることを示している。結果はモードパワーを回転数ｌの関数として示す図８Ａ−８Ｃに示されている。
【００８６】
図に示されるように、上述した回転ファイバにより発生される回転状態はｌ〜１８を中心として分布される。しかしながら、２つ以上の入力モードが存在するため、複数の状態の若干の分布が存在する。加えて、図８Ａと図８Ｂ及び８Ｃの比較に基づいて、１０ｍｍテーパーは４０ｍｍテーパー及び８０ｍｍテーパーよりも著しく多くの励起された状態を有することがわかる。この結果は、１０ｍｍテーパーは断熱のためには短すぎること（即ち、１０ｍｍテーパーは回転ファイバ２２０のパラメータが回転ファイバ２００の入力端から出力端へと速く変化しすぎること）を示し、それによって追加のモードが励起せしめられ、輝度及びモード純度が低下する。
【００８７】
他方、図８Ｂと図８Ｃを比較すると、４０ｍｍテーパーと８０ｍｍテーパーの間の変化は比較的小さいことがわかる。これは、これらのテーパーの両方とも断熱的であり、得られるモード分布はほぼ最適であることを示す。実際上、６つ入力モードが存在することを考慮すると、理想的な場合には６つの出力モードが存在する。図に示すように、断熱的テーパー内の出力集団の殆どは実際上殆ど６つのモード内に捕捉され、隣接モードへの広がりが若干存在する。
【００８８】
発生されるモードのすべてが回転モードであるため、回転ファイバ２２０の出力と関連する出力スポットは、より効果的な材料加工に望ましい、鮮明なエッジを有する鮮明な円環状パターンとすることができる。
【００８９】
上述したように、図８Ａ−８Ｃは単なる一例として与えられている。他の例も可能であり、図８Ａ−８Ｃに関して記載された例と異ならせてもよい。
【００９０】
本明細書に記載した幾つかの実施形態は、円環状のビーム形状を有する光ビームを光ファイバ内で直接（即ちフリースペース光学系なしで）発生させる光ファイバ装置を提供する。具体的には、発生される光ビームは回転光ビーム（即ち、光ファイバ内をらせん方向に伝搬する光ビーム）であり、よって円環状のビーム形状を有する光ビームを発生する。幾つかの実施形態では、（光ビームが光ファイバから射出するとき）光ビームの回転特性を維持し得るため、光ファイバから加工片に照射されたレーザスポットは例えば鮮明なエッジ及び高いビーム品質を有する円環状のビームプロファイルを示す。
【００９１】
以上の開示は例証及び説明のために提示されているが、網羅的な説明を意図するものでも、実施形態を開示の正確な形態に限定することを意図するものでもない。様々な変更や変形が以上の開示に照らして可能であり、また実施形態の実施から得ることができる。
【００９２】
例えば、回転ファイバ２２０は非回転光ビームを回転光ビームに変換するために使用されるものとして記載した。しかし、幾つかの実施形態では、回転ファイバ２０は、入力回転光ビームを出力非回転光ビームに変換するために、逆方向に使用してもよい。これは、回転ファイバ２２０の入力端におけるねじれ率が入力光ビームの回転と合致するように、且つ回転ファイバ２２０の出力端におけるねじれ率がゼロ又はほぼゼロになるように、回転ファイバ２２０の設計、例えばテーパー及びねじれの変化等、を逆転させることによって達成することができる。上述した製造技術の何れもこの例に適応し得る。
【００９３】
別の例として、回転ファイバ２２０は任意の回転状態を有する入力光ビームを別の（即ち異なる）回転状態を有する出力光ビームに変換するように設計することもできる。これを達成する基準は、回転ファイバ２２０の入力端におけるねじれ率が入力光ビームの回転状態に適合しなければならないこと、及び回転ファイバ２２０の出力端におけるねじれ率が出力光ビームの所望の回転状態に適合しなければならないことにある。上述した製造技術の何れもこの例に適応し得る。
【００９４】
特定の特徴の組み合わせが請求の範囲に列挙され及び／又は明細書に開示されているが、これらの組み合わせは可能な実施形態の開示を限定するものではない。実際には、これらの特徴の多くは請求の範囲に明確に列挙されていない及び／又は明細書に開示されていない方法で組み合わせてもよい。以下に列挙される各従属請求項は一つの請求項にのみ直接従属してよいが、可能な実施形態の開示は各従属請求項と請求の範囲内のすべての他の請求項との組み合わせも含むものである。
【００９５】
本明細書で使用する要素、操作又は指示は、特に明記されない限り、決定的又は本質的と解釈されるべきである。また、冠詞"a"及び"an"は一以上の要素を含むことが意図され、「一以上」と互換的に使用され得る。更に、本明細書で使用される「セット」は一以上の要素（例えば、関連要素、非関連要素、関連要素及び関連要素の組み合わせ等）を含むことが意図され、「一以上」と互換的に使用され得る。唯一の要素が意図される場合には、「一つ」又は類似の語が使用される。また、本明細書で使用する語「有する」、「有している」等はオープンエンデッドタームであることが意図されている。更に、語句「基づく」は特に明記されない限り「少なくとも部分的に基づく」を意味することが意図されている。
【図１】
2018084813.tif 000003
【図２】
2018084813.tif 000004
【図３】
2018084813.tif 000005
【図４Ａ】
2018084813.tif 000006
【図４Ｂ】
2018084813.tif 000007
【図５】
2018084813.tif 000008
【図６】
2018084813.tif 000009
【図７】
2018084813.tif 000010
【図８】
2018084813.tif 000011
【外国語明細書】
2018084813000001.pdf